(57)【要約】【課題】大気中に浮遊する細かい塵埃の捕集を容易にした電気掃除機を提供する。【解決手段】吸引風を発する電動送風機２と、電動送風機２の排気によって大気に微粒子水で包まれたナノイーイオンを発生させるナノイーイオン発生器２６と、電動送風機２と連通すると共に塵埃を捕集する集塵室５を有する電気掃除機本体１と、集塵室５に連通し塵埃を吸引する吸込具（図示せず）とを備え、電動送風機２の排気と共に大気に放出させたナノイーイオンで浮遊する塵埃を帯電させるもので、電気掃除機本体１から放出したナノイーイオンを浮遊塵埃に付着帯電させることによって、微粒子水の質量が室内の浮遊塵埃に付加され、塵埃の床面への落下を早くし、掃除中の吸込具から吸い取る捕集率を向上させることができると共に、ナノイーイオンの付着した塵埃の脱臭、除菌に効果を発揮し、空気清浄機能を良好にすることができる。【選択図】図２
2010194209.tif 000002
【特許請求の範囲】
【請求項１】
吸引風を発する電動送風機と、前記電動送風機の排気によって大気に微粒子水で包まれたナノイーイオンを発生させるナノイーイオン発生器と、前記電動送風機と連通すると共に塵埃を捕集する集塵室を有する電気掃除機本体と、前記集塵室に連通し塵埃を吸引する吸込具とを備え、前記電動送風機の排気と共に大気に放出させたナノイーイオンで浮遊する塵埃を帯電させることを特徴とする電気掃除機。
【請求項２】
吸引風を発する電動送風機と、前記電動送風機の排気を排出する排気口と、前記電動送風機と連通すると共に塵埃を捕集する集塵室を有する電気掃除機本体と、微粒子水で包まれたナノイーイオンを発生させるナノイーイオン発生器と、前記排気口の近傍に前記ナノイーイオン発生器で発生したナノイーイオンを排出する排出口を有すると共に前記ナノイーイオン発生器を収納する収納部を備え、前記排気口直後の前記電動送風機の排気流のベンチュリー効果によって、排出されたナノイーイオンを、前記排気口から排出された排気の方向へ引き寄せるようにして前記排出口から大気に放出させて、浮遊する塵埃に帯電させるようにした電気掃除機。
【請求項３】
ナノイーイオン発生器の上流側に大気に開口した開口部を設けことを特徴とする請求項２に記載の電気掃除機。
【請求項４】
排気口から排出される排気によるベンチュリー効果によって、開口部と排出口を連通する通気流路内に発生した空気流により、前記開口部から空気と共に流入して、前記通気流路内でナノイーイオンの帯電した微細塵埃が排出口から放出されて、前記排気口からの排気と合流した後、前記排気と分離して床面に落下しやすい位置に、前記排出口を設けたことを特徴とする請求項３に記載の電気掃除機。
【発明の詳細な説明】
【技術分野】
【０００１】
本発明は、電気掃除機に関するもので、特に、空気清浄効果の高い電気掃除機に関するものである。
【背景技術】
【０００２】
従来のこの種の電気掃除機として、排気経路にイオン発生器を配置させたものが提案されている（例えば、特許文献１参照）。
【特許文献１】特開２００８−２１２３８９号公報
【発明の開示】
【発明が解決しようとする課題】
【０００３】
しかしながら、上記特許文献１に記載されたような従来の電気掃除機の構成では、電動送風機の排気と共に大気にイオンを放出させる高電圧の放電電極で構成したイオン発生器と、塵埃を捕集する不織布を用いた集塵袋を内蔵する電気掃除機本体と、前記電動送風機に連通し塵埃を吸引する吸込具を備え、前記電動送風機の排気と共に大気に放出させたイオンで浮遊する塵埃を帯電させ、前記不織布を用いた集塵袋で、前記イオンで帯電された塵埃を捕集させる構成であり、イオンの帯電した空気中に浮遊する微細塵埃が床面に落下するまでには時間を必要とするため、十分な空気清浄効果が得られない、と言う課題があった。
【０００４】
本発明は、上記従来の課題を解決するものであって、空気中に長時間存在（例えば略１０分以上）することが可能で、しかも塵埃などの被付着物に付着すると、該被付着物の脱臭、除菌を行う脱臭、除菌作用を果たすことが知られているナノイーイオンを浮遊塵埃に付着帯電させることによって、微粒子水の質量を付加して床面への落下を早くし、掃除中の吸込具から吸い取る塵埃の捕集率を向上させることができ、又、ナノイーイオンの付着した塵埃の脱臭、除菌に効果を果たす電気掃除機を提供することを目的とする。
【課題を解決するための手段】
【０００５】
上記従来の課題を解決するために、本発明の電気掃除機は、吸引風を発する電動送風機と、前記電動送風機の排気によって大気に微粒子水で包まれたナノイーイオンを発生させるナノイーイオン発生器と、前記電動送風機と連通すると共に塵埃を捕集する集塵室を有する電気掃除機本体と、前記集塵室に連通し塵埃を吸引する吸込具を備え、前記電動送風機の排気と共に大気に放出させたナノイーイオンで浮遊する塵埃を帯電させるもので、電気掃除機本体から放出したナノイーイオンを浮遊塵埃に付着帯電させることによって、微粒子水の質量が室内の浮遊塵埃に付加され、塵埃の床面への落下を早くし、掃除中の吸込具から吸い取る塵埃の捕集率を向上させることができるとともに、ナノイーイオンの付着した塵埃の脱臭、除菌に効果を果たし、空気清浄性能を良好にすることができる電気掃除機を提供することができる。
【０００６】
又、本発明の電気掃除機は、吸引風を発する電動送風機と、前記電動送風機の排気を排出する排気口と、前記電動送風機と連通すると共に塵埃を捕集する集塵室を有する電気掃除機本体と、微粒子水で包まれたナノイーイオンを発生させるナノイーイオン発生器と、前記排気口の近傍に前記ナノイーイオン発生器で発生したナノイーイオンを排出する排出口を有すると共に前記ナノイーイオン発生器を収納する収納部を備え、前記排気口直後の前記電動送風機の排気流のベンチュリー効果によって、排出されたナノイーイオンを、前記排気口から排出された排気の方向へ引き寄せるようにして前記排出口から大気に放出させて、浮遊する塵埃に帯電させるようにしたもので、集塵室を通過したり、電動送風機から生じる例えばカーボン等の極微細塵がナノイーイオン発生器に堆積することなく、ナノイーイオン発生器の寿命を延ばし、耐久性の向上を図ることができる。
【発明の効果】
【０００７】
本発明の電気掃除機は、微粒子水の質量を室内の浮遊塵埃に付加して床面への落下を早くし、掃除中の吸込具から吸い取る塵埃の捕集率を向上させることができるとともに、ナノイーイオンの付着した塵埃の脱臭、除菌に効果を果たし、空気清浄効果を良好にすることができる。
【発明を実施するための最良の形態】
【０００８】
第１の発明は、吸引風を発する電動送風機と、前記電動送風機の排気によって大気に微粒子水で包まれたナノイーイオンを発生させるナノイーイオン発生器と、前記電動送風機と連通すると共に塵埃を捕集する集塵室を有する電気掃除機本体と、前記集塵室に連通し塵埃を吸引する吸込具を備え、前記電動送風機の排気と共に大気に放出させたナノイーイオンで浮遊する塵埃を帯電させるもので、電気掃除機本体から放出したナノイーイオンを浮遊塵埃に付着帯電させることによって、微粒子水の質量が室内の浮遊塵埃に付加され、塵埃の床面への落下を早くし、掃除中の吸込具から吸い取る塵埃の捕集率を向上させることができるとともに、ナノイーイオンの付着した塵埃の脱臭、除菌に効果を果たし、空気清浄性能を良好にすることができる電気掃除機を提供することができる。
【０００９】
第２の発明は、吸引風を発する電動送風機と、前記電動送風機の排気を排出する排気口と、前記電動送風機と連通すると共に塵埃を捕集する集塵室を有する電気掃除機本体と、微粒子水で包まれたナノイーイオンを発生させるナノイーイオン発生器と、前記排気口の近傍に前記ナノイーイオン発生器で発生したナノイーイオンを排出する排出口を有すると共に前記ナノイーイオン発生器を収納する収納部を備え、前記排気口直後の前記電動送風機の排気流のベンチュリー効果によって、排出されたナノイーイオンを、前記排気口から排出された排気の方向へ引き寄せるようにして前記排出口から大気に放出させて、浮遊する塵埃に帯電させるようにしたもので、集塵室を通過したり、電動送風機から生じる例えばカーボン等の極微細塵がナノイーイオン発生器に堆積することなく、ナノイーイオン発生器の寿命を延ばし、耐久性の向上を図ることができる。
【００１０】
第３の発明は、第２の発明のナノイーイオン発生器の上流側に大気に開口した開口部を設けもので、電気掃除機本体周囲に浮遊し、開口部から流入した微細塵がナノイーイオン発生器近傍を通過する際にナノイーイオンを帯電させて、排出口から電気掃除機本体外に放出して床面へ早く落下させて吸込具から吸い取ることができ、捕集効率が向上し、空気清浄効果の向上を図ることができるものである。
【００１１】
第４の発明は、第３の発明の排気口から排出される排気によるベンチュリー効果によって、開口部と排出口を連通する通気流路内に発生した空気流により、前記開口部から空気と共に流入して、前記通気流路内でナノイーイオンの帯電した微細塵埃が排出口から放出されて、前記排気口からの排気と合流した後、前記排気と分離して床面に落下しやすい位置に、前記排出口を設けたもので、電気掃除機本体周囲に浮遊し、開口部から流入した微細塵がナノイーイオン発生器近傍に通過する際にナノイーイオンを帯電させて、排出口から電気掃除機本体外に放出した後、より早く床面へ落下させて吸込具から吸い取ることができ、捕集効率を向上させることによって、空気清浄効果のさらなる向上を図ることができるものである。
【００１２】
以下、本発明の実施の形態について、図面を参照しながら説明する。なお、この実施の形態によって本発明が限定されるものではない。
【００１３】
（実施の形態１）
本発明の実施の形態１における電気掃除機について図１〜図５を用いて説明する。図１は、本実施の形態における電気掃除機用の全体斜視図、図２は、同電気掃除機用の断面図、図３は、同電気掃除機の電気掃除機本体後部の斜視図である。
【００１４】
図１〜３において、１は、本実施の形態における電気掃除機の電気掃除機本体で、後部に電動送風機２を内蔵した電動送風機室３が配され、前部に、着脱自在で塵埃を捕集するエレクトレット加工された集塵袋４を収納すると共に電動送風機２と連通する集塵室５が配され、後方下部の両側に１対の走行用の車輪６が回転自在に取着され、底面前部には、同じく走行用のキャスター７が取着されている。電気掃除機本体１の前部には、ホース８の一端に設けた接続パイプ９が着脱自在に接続される吸入口１０が設けられている。
【００１５】
前記エレクトレット加工された集塵袋４の材質は、ポリプロピレン等の熱可塑性繊維で構成されており、空気等の摩擦で帯電するようになっている。
【００１６】
ホース８の他端には、掃除の際に握る把手１１を備えた先端パイプ１２が設けられている。１３は、伸縮自在或いは継ぎ自在の延長管で、下流側端部が前記先端パイプ１２に着脱自在に接続され、他端は、塵埃掻き上げ用の回転ブラシ１４と、その回転ブラシ１４を回転駆動するモーター１５を内蔵した吸込具１６に着脱自在に接続される。
【００１７】
１７は、電気掃除機本体１を持ち運ぶ際に使用する本体ハンドルで、電気掃除機本体１の集塵室５を覆う蓋１８と上ボディ１９で構成されている。
【００１８】
電動送風機２の前部は、弾性材料からなるサポート前２０で、後部は、同じく弾性材料からなるサポート後２１で、電動送風機室３内に支持されており、モーターケース２２とモーターカバー２３にて、前記サポート前２０とサポート後２１を挟持している。
【００１９】
図２、図３において、３４は、電動送風機２の排気を排出させる排気口となる主排気口である。前記モーターカバー２３の後方にナノイーイオンを発生させるための電源としての高電圧装置２４が保持固定されている。
【００２０】
また、上ボディ１９上方後部に設けたスタンド収納用のレスト部２５内部に、ペルチェ素子、針状電極などからなるナノイーイオン発生器２６が収納されている。そして、前記ナノイーイオン発生器２６と高電圧装置２４は電気的に接続されている。さらにナノイーイオン発生器２６の上方を覆うように、ナノイーイオンを排出する排出口となるナノイーイオン排出口３１を備えたレストカバー３２が上ボディ１９にねじ固定されている。
【００２１】
以上のように本実施の形態では、レスト部２５とレストカバー３２とで、ナノイーイオン発生器２６を収納する収納部を形成している。
【００２２】
この構成により、ナノイーイオン発生器２６の高電圧（例えば略６０００Ｖ）が印加された針状電極（図示せず）は、内蔵するペルチェ素子（図示せず）のペルチェ効果によって冷却されて、空気中の水分を結露させ、コロナ放電によって微粒子水で包まれたマイナスイオンの微細粒子（例えば直径で略５〜２０ｎｍ）が発生するものである。
【００２３】
以上のように構成された本実施の形態における電気掃除機の動作、作用は以下の通りである。
【００２４】
電動送風機２を運転させると、電気掃除機本体１の後面に設けた主排気口３４から排気風が排出される。ナノイーイオン発生器２６を収納するレスト部２５には、主排気口３４からの排気風に臨むように設けたナノイーイオン排出口３１と、電気掃除機本体１の上ボディ１９の上方に形成した開口部２９と連通した通気流路２５ａを形成しており、前記主排気口３４からの排気風によるベンチュリー効果によって、上ボディ１９の上方の開口部２９からナノイーイオン排出口３１への空気の流れが発生する。
【００２５】
この空気の流れによってナノイーイオン排出口３１からナノイーイオンが放出されるものである。さらには、開口部２９は、電気掃除機本体１の天面に設けているため、掃除作業中に室内を浮遊する細かい塵埃が前記開口部２９から流入し、ナノイーイオン発生器２６の近傍を通過する際にナノイーイオンに帯電され、ナノイーイオン排出口３１から電気掃除機本体１外に放出されるものである。
【００２６】
ナノイーイオンは、微粒子水で包まれている分、従来のマイナスイオンと比較して質量が付加されるため、ナノイーイオンの帯電した細かい浮遊塵埃を床面へ早く落下させ、吸込具１６から吸い取ることができるので、塵埃の捕集効率が向上し、空気清浄効果の向上を図ることができるものである。また、さらにナノイーイオン排出口３１から放出されたナノイーイオンは、主排気口３４の排気によって室内拡散され、室内に浮遊する細かい塵埃に帯電して、床面に落下させることができる。
【００２７】
ナノイーイオンの帯電した塵埃は吸込具１６から吸引され、延長管１３、ホース８を通過した後、エレクトレット加工された集塵袋４に捕集されるものである。
【００２８】
以上のように構成された本実施の形態における電気掃除機を用いて、本実施の形態の効果を調べた実験結果を以下に示す。
【００２９】
本実施の形態の電気掃除機を用いて、空気清浄機の規格ＪＥＭ１４６７に定められた試験法に準じた比較を行った。図４に示す２０〜３０ｍ3の測定室内でタバコ吸煙機でタバコ５本を発煙させ、タバコ吸煙機と同程度のかくはんファンを運転させながら濃度分布を一定にする。その後電気掃除機を運転しながら、粒子径０．３μｍのタバコの煙をパーティクルカウンターで一定時間カウントし、減衰率を時間毎に測定した。
【００３０】
図５は、この実験結果をグラフにしたもので、約２分後の比較では、本実施の形態の電気掃除機は、従来のイオン発生器のある電気掃除機と比較して約５％の向上が確認された。このように、本実施の形態によると、電気掃除機本体１にナノイーイオン発生器２６を備え、大気中に浮遊する細かい塵埃をナノイーイオンで帯電させて、不織布を用いた集塵袋４で捕集することにより、従来に比べ空気清浄効果の優れた電気掃除機を得ることができる。特に、集塵袋４として、エレクトレット加工を施した不織布を用いることにより、集塵袋４に塵埃が付着しやすくなり空気清浄効果を一層向上させることができる。
【００３１】
（実施の形態２）
図６は、本発明の第２の実施の形態における電気掃除機の電気掃除機本体の後部斜視図である。なお、上記第１の実施の形態における電気掃除機と同一部分には、同一符号を付してその詳細な説明を省略する。
【００３２】
本実施の形態における電気掃除機は、図６に示すように、ナノイーイオン排出口３１を、電気掃除機本体１の主排気口３４の、より床面に近い側面側で、かつ主排気口３４からの排気風に臨むように配置したもので、開口部２９から流入し、ナノイーイオンの帯電した浮遊塵埃は、ナノイーイオン排出口３１から排出された後に、床面に近い分、床に落下到達するのが早くなるため、吸込具１６から塵埃を吸い取る確率が更に高くなるのである。
【産業上の利用可能性】
【００３３】
以上のように、本発明にかかる電気掃除機は、簡便な手段により空気清浄効果に優れたもので、各種家庭用、業務用電気掃除機等に広く適用できる。
【図面の簡単な説明】
【００３４】
【図１】本発明の実施の形態１における電気掃除機の全体斜視図
【図２】同電気掃除機の断面図
【図３】同電気掃除機の電気掃除機本体後部の斜視図
【図４】ＪＥＭ１４６７の試験法に準じた比較試験の概要図
【図５】同電気掃除機の空気清浄効果を示すグラフ
【図６】本発明の実施の形態２における電気掃除機の電気掃除機本体後部の斜視図
【符号の説明】
【００３５】
１      電気掃除機本体
２      電動送風機
４      集塵袋
５      集塵室
１６    吸込具
２５    レスト部（収納部）
２５ａ  通気流路
２６    ナノイーイオン発生器
２９    開口部
３１    ナノイーイオン排出口（排出口）
３４    主排気口（排気口）
【図１】
2010194209.tif 000003
【図２】
2010194209.tif 000004
【図３】
2010194209.tif 000005
【図４】
2010194209.tif 000006
【図５】
2010194209.tif 000007
【図６】
2010194209.tif 000008